(57)【特許請求の範囲】
【請求項１】
被処理物を収容した箱型のパレットを発酵分解処理の為に保管する棚と、前記パレットの入出庫装置とを備えた自動倉庫を使用する廃棄物処理設備であって、前記パレットは、底枠と四側枠の全てがメッシュ構造のパレット本体と、底枠と四側枠の全てに内張りされた内張り材とから成り、底枠の内張り材は、収容される被処理物を洩らさないが通気性と吸水性とを有する素材から成り、四側枠の内張り材は、少なくとも通気性を有する素材から成る廃棄物処理設備において、前記底枠と四側枠の全ての内張り材又は少なくとも底枠の内張り材が木材から成る、廃棄物処理設備。
【請求項２】
被処理物を収容した箱型のパレットを発酵分解処理の為に保管する棚と、前記パレットの入出庫装置とを備えた自動倉庫を使用する廃棄物処理設備であって、前記パレットは、底枠と四側枠の全てがメッシュ構造のパレット本体と、底枠と四側枠の全てに内張りされた内張り材とから成り、底枠の内張り材は、収容される被処理物を洩らさないが通気性と吸水性とを有する素材から成り、四側枠の内張り材は、少なくとも通気性を有する素材から成る廃棄物処理設備において、前記底枠と四側枠の全ての内張り材又は少なくとも底枠の内張り材が、木質系又は非木質系のチップを圧縮一体化した各種ボードから成る、廃棄物処理設備。
【請求項３】
被処理物を収容した箱型のパレットを発酵分解処理の為に保管する棚と、前記パレットの入出庫装置とを備えた自動倉庫を使用する廃棄物処理設備であって、前記パレットは、底枠と四側枠の全てがメッシュ構造のパレット本体と、底枠と四側枠の全てに内張りされた内張り材とから成り、底枠の内張り材は、収容される被処理物を洩らさないが通気性と吸水性とを有する素材から成り、四側枠の内張り材は、少なくとも通気性を有する素材から成る廃棄物処理設備において、前記底枠と四側枠の全ての内張り材又は少なくとも底枠の内張り材が軽量発泡コンクリートから成る、廃棄物処理設備。
【発明の詳細な説明】
【０００１】
【発明の属する技術分野】
本発明は、生ゴミ等の廃棄物を発酵分解して堆肥化したり減容乃至消滅させたりする、自動倉庫利用の廃棄物処理設備に関するものである。
【０００２】
【従来の技術】
生ゴミ等廃棄物を発酵分解して堆肥化したり減容乃至消滅させる廃棄物処理設備として、廃棄物等の被処理物を収容したボックス形のパレットを発酵分解処理の為に保管する棚と、前記パレットの入出庫装置とを備えた自動倉庫を使用する廃棄物処理設備が提案されているが、被処理物の発酵分解を良好に促進させることの出来る前記パレットについての具体的な構成の提案は成されておらず、この種の設備の実用化に至っていないのが実状である。
【０００３】
【課題を解決するための手段】
本発明は上記のような従来の問題点を解消し得る廃棄物処理設備を提供することを目的とするものであって、その手段を後述する実施形態の参照符号を付して示すと、被処理物を収容した箱型のパレット２を発酵分解処理の為に保管する棚４と、前記パレット２の入出庫装置５とを備えた自動倉庫１を使用する廃棄物処理設備であって、、前記パレット２は、底枠２１と四側枠２２ａ〜２２ｄの全てがメッシュ構造のパレット本体２０と、底枠２１と四側枠２２ａ〜２２ｄの全てに内張りされた内張り材２５ａ，２５ｂとから成り、底枠２１の内張り材２５ａは、収容される被処理物を洩らさないが通気性と吸水性とを有する素材から成り、四側枠２２ａ〜２２ｄの内張り材２５ｂは、少なくとも通気性を有する素材から成る構成であって、請求項１に記載の本発明では、前記底枠２１と四側枠２２ａ〜２２ｄの全ての内張り材２５ａ，２５ｂ又は少なくとも底枠２１の内張り材２５ａが木材から成り、請求項２に記載の本発明では、前記底枠２１と四側枠２２ａ〜２２ｄの全ての内張り材２５ａ，２５ｂ又は少なくとも底枠２１の内張り材２５ａが、木質系又は非木質系のチップを圧縮一体化した各種ボードから成り、更に請求項３に記載の本発明では、前記底枠２１と四側枠２２ａ〜２２ｄの全ての内張り材２５ａ，２５ｂ又は少なくとも底枠２１の内張り材２５ａが軽量発泡コンクリートから成る構成となっている。
【０００４】
尚、木材や、木質系又は非木質系のチップを圧縮一体化した各種ボード、軽量発泡コンクリート等の内張り材は、布と比較して重いものであるが、被処理物の漏れは完全に防止出来るので、これら内張り材は、底枠２１の内張り材２５ａとして使用し、側枠２２ａ〜２２ｄの内張り材２５ｂとしては、布や各種ネット材を利用することも出来る。
【０００６】
【発明の実施の形態】
以下に本発明の廃棄物処理設備の好適実施形態を添付図に基づいて説明すると、図１に於いて、１は自動倉庫であって、箱型のパレット２を立体的に収納する多数のパレット支持部３を備えた棚４と、当該棚４に沿って走行可能な入出庫装置５とから構成され、前記入出庫装置５は、昇降自在な昇降キャレッジ６上にランニングフォーク等のパレット移載手段７が設けられたものである。又、入出庫装置５の走行経路に隣接する適当位置（棚４の一部分でも良い）には、入庫用パレット支持部８と切り返し装置９とが設けられ、入出庫装置５のパレット移載手段７により、入庫用パレット支持部８と棚４のパレット支持部３との間、及び切り返し装置９の出庫パレット支持部１０と棚４のパレット支持部３との間、及び切り返し装置９の再入庫パレット支持部１１と棚４のパレット支持部３との間でパレット２を移載することが出来るように構成されている。
【０００７】
切り返し装置９は、出庫パレット支持部１０に出庫されたパレット２を反転させて内部の被処理物を撹拌手段内蔵のホッパー１２に移し、撹拌されてホッパー１２から排出される被処理物を、搬送方向切換自在なコンベヤ１３により、再入庫パレット支持部１１に支持されているパレット２に搬送充填するか又は、堆肥用処理物として搬出する出荷用搬送手段１４に搬出することが出来るように構成されたものである。又、入庫用パレット支持部８に支持されたパレット２には、撹拌装置１５で撹拌調整された被処理物を搬送手段１６により搬送充填出来るように構成され、撹拌装置１５には、搬送手段１７，１８により廃棄物や副資材等の材料を搬送充填出来るように構成されている。
【０００８】
上記構成の廃棄物処理設備の使用方法の一例を説明すると、種類又は複数種類の廃棄物と１種類又は複数種類の副資材（パレット内での発酵分解環境を改善（通気性や水分調整）させるものや、養分補給の為のもの）とは、搬送手段１７，１８により撹拌装置１５にそれぞれ所要量づつ供給され、この撹拌装置１５に於いて、必要に応じて不足水分の補給による水分調整を行うと共に、撹拌手段で撹拌され、一パレット分の被処理物が調整される。この被処理物は搬送手段１６により自動倉庫１の入庫用パレット支持部８にセットされている空のパレット２に充填される。被処理物が充填された実パレット２は、入出庫装置５により棚４のパレット支持部３の内、選択された空きパレット支持部３に移載され、保管される。
【０００９】
棚４に入庫保管された各実パレット２内に於いては、収容された被処理物が自然に発酵分解することになるが、入庫日から所定日数の発酵分解期間が経過した実パレット２は、入出庫装置５により切り返し装置９の出庫用パレット支持部１０に出庫され、当該実パレット２が反転されて内部の被処理物がホッパー１２内に放出されると共に、当該ホッパー１２内の撹拌手段で撹拌され、切り返しが行われる。空になった出庫用パレット支持部１０のパレット２は、入出庫装置５により切り返し装置９の再入庫用パレット支持部１１に移し替られる。この後、ホッパー１２内の被処理物がコンベヤ１３により再入庫用パレット支持部１１の空パレット２に搬出され、当該パレット２が入出庫装置５により棚４の空きパレット支持部３に再入庫される。
【００１０】
上記の切り返し作業が１回又は所定回数実行されることにより、自動倉庫１内での被処理物の発酵分解が完了すると、該当パレット２が入出庫装置５によりの出庫用パレット支持部１０に出庫され、内部の被処理物に対する上記の切り返し作業が実行された後、コンベヤ１３及び出荷用搬送手段１４によって、例えば異物除去装置や検査装置等に搬出される。又、廃棄物の減容消滅処理が目的の場合は、処理残渣が戻し用搬送手段１９により撹拌装置１５に副資材として戻される。
【００１１】
以上のような廃棄物処理設備に於いて使用される前記箱型のパレット２の詳細を説明すると、この実施形態に示されるパレット２は、図２に示すように、一般にメッシュボックスパレットと呼称されている箱型パレット本体２０が利用されている。この箱型パレット本体２０は、矩形状でメッシュ構造の底枠２１、当該底枠２０の四側辺に立設され且つ互いに連結されたメッシュ構造の四側枠２２ａ〜２２ｄ、底枠２１の下側に配設された矩形フレーム２３、及び当該矩形フレーム２３の四隅下側に取り付けられた脚部２４から構成された従来周知のもので、各側枠２２ａ〜２２ｄが底枠２１上に折り畳み可能に構成されたもの、少なくとも前面側枠２２ａの上半分又は全体が開閉出来るように構成されたもの等、種々のものが知られているが、箱型に組み立てた状態で必要な強度を有するものであれば如何なる構造のものでも良い。又、底枠２１及び各側枠２２ａ〜２２ｄは、金属線材をメッシュ構造に溶接して構成されているが、例えば、パンチングメタル、エキスパンドメタル等の孔開き金属板から構成されたものでも良いし、底枠２１等は、プラスチック製（鉄筋により補強されたものを含む）のメッシュ構造のものでも良い。
【００１２】
本発明の箱型パレット２は、上記の箱型パレット本体２０の内側（底枠２１と四側枠２２ａ〜２２ｄの内側全て）に、図３に示すように、内張り材２５ａ，２５ｂを内張りしたものである。底枠２１の内張り材２５ａは、収容される被処理物を洩らさないが通気性と吸水性とを有する素材から成り、四側枠２２ａ〜２２ｄの内張り材２５ｂは、少なくとも通気性を有する素材から成るものである。
【００１３】
内張り材２５ａ，２５ｂについて具体的に説明すると、カーペット等に使用されている厚手の、適当な硬さを有する布（不織布、織布、編布等、如何なる製造方法荷よるものでも良い））を、内張り材２５ａと内張り材２５ｂとの両方に使用するのが実用的である。この場合、図示のように、底枠２１側を先に内張りし、その内張り材２５ａの側辺を各側枠２２ａ〜２２ｄに沿って適当高さ立ち上げ、この立ち上げ部２６の内側に側枠２２ａ〜２２ｄ側の内張り材２５ｂの下側辺が重なるようにするのが望ましい。各内張り材２５ａ，２５ｂの内張り方法は、特に限定されない。例えば、パレット２を反転させる機会がなければ、底枠２１上の内張り材２５ａは、単に底枠２１上に敷くだけでも良いが、通常は切り返し作業等の為にパレット２を反転させる必要が有るので、底枠２１や側枠２２ａ〜２２ｄを構成する線材に、内張り材２５ａ，２５ｂの適当箇所を針金や紐等で締結する方法や、適当な当て板とボルトナット等で固定するのが望ましい。
【００１４】
上記のように内張り材２５ａ，２５ｂとして布を使用する場合、布の厚さが薄くて強度上又は被処理物の洩れ防止の面で問題があるときは、複数枚の布を積層して内張り材とすることも出来る。これら布の他、内張り材２５ａ，２５ｂとしては、木材や、木質系又は非木質系のチップを圧縮一体化した各種ボード、パレット全体の重量を不当に増大させない程度の厚さの軽量発泡コンクリート板等が使用出来る。これらの内張り材は、先に述べた布と比較して重いものであるが、被処理物の漏れは完全に防止出来るので、底枠２１の内張り材２５ａとして使用し、側枠２２ａ〜２２ｄの内張り材２５ｂとしては、前記布や各種ネット材を利用することが望ましい。ネット材としては、孔径５ｍｍ以下、好ましくは２〜３ｍｍ程度までの小径の孔を密に備えたプラスチック製その他のシートやパンチングメタル、同程度の隙間を有する編みネット又は織りネット等が利用出来る。
【００１５】
【発明の効果】
本発明の廃棄物処理設備は以上のように実施することができるものであって、係る本発明の廃棄物処理設備によれば、廃棄物等の被処理物を箱型のパレットに収容した状態で自動倉庫で保管し、発酵分解処理させるものであるから、大量の被処理物であっても被処理物の発酵分解環境を良好に維持し易く、むらなく良好に発酵分解処理させることが出来るばかりでなく、パレット単位で切り返しや入出庫作業を能率的に行うことが出来るのであるが、特に本発明の構成によれば、次のような格別の作用効果が期待出来る。
【００１６】
即ち、使用するパレットが、底枠と四側枠の全てがメッシュ構造のパレット本体と、底枠と四側枠の全てに内張りされた内張り材とから成り、底枠の内張り材は、収容される被処理物を洩らさないが通気性と吸水性とを有する素材から成り、四側枠の内張り材は、少なくとも通気性を有する素材から成るものであるから、被処理物を収容する容器としての強度はメッシュ構造のパレット本体で得ながら、パレットの入出庫等の取り扱い時に被処理物が底から洩れ落ちて自動倉庫内の環境を悪化させる恐れがなく、しかも全面に通気性があるので、被処理物の発酵熱の放散及び発酵熱に依って発生する蒸気の放散を良好に行わせることが出来、更に、被処理物に含まれる水分が重力で流下しても、この水分を底枠上の内張り材で吸収させて良好に気化放散させることが出来、底上で水分が滞留してベタベタ状態になって腐敗を招くような不都合が生じない。従って、パレット内での被処理物の発酵分解処理を良好に行わせることが出来る。このことは、切り返し作業の回数を減らすのにも役立ち、延いては発酵分解処理コストを低減するのにも役立つ。
【００１８】
しかも請求項１や請求項２に記載の本発明の構成によれば、少なくとも底枠の内張り材として、木材又は、木質系又は非木質系のチップを圧縮一体化した各種ボードを使用するので、内張り材の入手が比較的容易且つ安価に行えるだけでなく、被処理物の重量によって内張り材が弛むことも無いので、メッシュ構造のパレット本体として、非常に目の粗いメッシュ構造のものも問題なく活用出来る。
【００１９】
更に、請求項３に記載の本発明の構成によれば、少なくとも底枠の内張り材として軽量発泡コンクリートから成るものを使用するので、被処理物が水分過多のものであっても、その水分を内張り材で良好に吸収させることが出来、しかも、耐久性が高いので内張り材の張り替え等の維持コストが殆どかからない。
【図面の簡単な説明】
【図１】廃棄物処理設備を説明するブロック線図である。
【図２】箱型パレットの本体に使用するメッシュボックスパレットの斜視図である。
【図３】箱型パレットの詳細を示す要部の縦断立面図である。
【符号の説明】
１    自動倉庫
２    箱型のパレット
３    パレット支持部（自動倉庫）
４    棚（自動倉庫）
５    入出庫装置（自動倉庫）
８    入庫用パレット支持部（自動倉庫）
９    切り返し装置
２０    パレット本体
２１    底枠（パレット本体）
２２ａ〜２２ｄ    側枠（パレット本体）
２５ａ，２５ｂ    内張り材
【図１】
0003608730.tif 000002
【図２】
0003608730.tif 000003
【図３】
0003608730.tif 000004